(57)【要約】      （修正有）【課題】人的コスト負担を軽減した人にやさしい介護用衣料を提供する。【解決手段】一つの上着本体１と、一対の拘束カバー３１と、二つの収容袋３２と、二つの制限袋３３と、一つの下半身衣類４Ａと、からなる。上着本体１の衣服前部１１は、相互に隙間が開いた左、右の前側片１１１と、前襟元を有するとともに取り外して洗濯可能で隙間部を遮蔽する前かけ片部１１２を備える。前かけ片部１１２における両肩部は、取り外し可能に設けられ、前かけ片部１１２における左右の側辺は、左、右の前側片１１１の二つの対応する側辺に取り外し可能に設けられる。一対の拘束カバー３１は、左右の衣服側辺にそれぞれ取り外し可能に設けられ、拘束カバー３１の下方には、収容袋３２が縫い付けられる。制限袋３３は、収容袋３２外部に重ねて縫い付けられ、袖部１３と下半身衣類４Ａに連結される。首巻部６の前、後巻片の頭端部下方は、それぞれ、後襟元左右上端に連結され、立てて頭尾端を頸部に巻かれ、使わないときは両肩部に配置される。【選択図】図１
0003207543.tif 000002
【実用新案登録請求の範囲】
【請求項１】
一つの上着本体と、一対の拘束カバーと、二つの拘束部連結部材と、二つの収容袋と、二つの制限袋と、一つの下半身衣類と、二つのオス、メス連結部材と、二つのオス、メス連結ユニットと、一つの首巻部とからなる人にやさしい介護用衣料であって、
上着本体は、一つの衣服前部と、一つの衣服後部と、外側に向かって縦向開口がそれぞれ設けられた一対の袖部と、二つの上密封部材と、二つの前密封部材と、二つの外密封部材と、を備え、
前記衣服前部は、隙間部（頂部の隙間と底部の隙間の比率は約２：１である）によって隔てられた左、右の前側片と、中間に前襟元を有するとともに取り外して洗濯可能で前記隙間部を遮蔽する前かけ片部とを備え、
前記前かけ片部における肩幅の広さである両肩部と、衣服後部の両肩部との対応する位置の間に、前記上密封部材がそれぞれ縫い付けられ、また、前記前かけ片部の左右側辺と前記左、右の前側片の二つの相互に対応する側辺の間には、それぞれ、前記前密封部材が縫い付けられ、前記左、右の前側片における肩幅の広さである両肩部と衣服後部の両肩部との対応する位置及び各前記縦向開口の外まで伸びる箇所の間に、それぞれ前記外密封部材が縫い付けられ、
前記一対の拘束カバー内側辺と左右の衣服側辺の間には、前記拘束部連結部材が縫い付けられ、前記一対の拘束カバーの上端における外側に近い箇所には、前記袖部の対応する位置に設けられた複数のボタンに通される複数の留め孔が設けられ、或は、
前記留め孔と前記一対の拘束カバーにおける上端の内側に近い箇所に設けられた複数の留め孔は、前記袖部上端の内、外側に近い箇所の複数のボタンに留めることで、加層袖が形成され、前記収容袋は、前記拘束部連結部材の下部にそれぞれ設けられ、
前記制限袋は、前記収容袋の外下部に重ねて縫い付けられ、且つ、前記制限袋の中間には前記メス連結部材が縦に設けられ、前記メス連結部材は、前記袖部における袖口外側に近い箇所の対応する位置に縦に設けられたオス連結部材に選択的に留められ、前記メス連結ユニットは、それぞれ、左、右の制限袋の下に突出する左、右の外側下端縁に縫い付けられるとともに、下半身衣類の左、右外側に縦に設けられた前記オス連結ユニットに選択的に留められ、前記メス連結ユニットを使わないときには、上に折り曲げられ制限袋下部の対応する位置のボタンに留められ、
前記首巻部は前巻片と後巻片とからなり、前記前巻片と後巻片の頭端部下方は、それぞれ、弾性ベルトで後襟元の左右上端に縫い付けられ、前記前巻片と後巻片の頭端部、尾端に近い箇所には、オス、メス固定部材がそれぞれ設けられ、前巻片と後巻片は、立てて頭端部と尾端を相互に頸部に巻いた後に相互に固定され、
前巻片、後巻片は、使わないときは、前記衣服前部の両肩部に対称に設けられた固定部に配置され、前記前巻片は、開口が設けられた収容空間に収容できる逆三角形下方延伸部を備え、前記固定部はいずれも複数のリングである、ことを特徴とする人にやさしい介護用衣料。
【請求項２】
前記上密封部材と外密封部材は、相互に間隔をあけて配列された複数のオス、メス留め具であることを特徴とする、請求項１に記載の人にやさしい介護用衣料。
【請求項３】
前記前密封部材は、相互に間隔をあけて配列された複数のオス、メス留め具であることを特徴とする、請求項１に記載の人にやさしい介護用衣料。
【請求項４】
前記前密封部材はチャックであることを特徴とする、請求項１に記載の人にやさしい介護用衣料。
【請求項５】
前記拘束部連結部材はチャックであることを特徴とする、請求項１に記載の人にやさしい介護用衣料。
【請求項６】
前記拘束部連結部材は、上下に間隔をあけて配列された複数のボタン及び前記ボタンが留められる留め孔であることを特徴とする、請求項１に記載の人にやさしい介護用衣料。
【請求項７】
前記拘束部連結部材は、上下に間隔をあけて配列された複数のオス、メス留め具であることを特徴とする、請求項１に記載の人にやさしい介護用衣料。
【請求項８】
前記オス連結部材及びオス連結ユニットは、上下に間隔をあけて配列された複数のボタンであり、前記メス連結部材及びメス連結ユニットは、前記ボタンが留められる複数の留め孔であることを特徴とする、請求項１に記載の人にやさしい介護用衣料。
【請求項９】
前記下半身衣類は、一対の脚カバーであることを特徴とする、請求項１に記載の人にやさしい介護用衣料。
【請求項１０】
前記下半身衣類は、ズボンであることを特徴とする、請求項１に記載の人にやさしい介護用衣料。
【考案の詳細な説明】
【技術分野】
【０００１】
本考案は、病人や要介護の年長者が着る衣類に関する。
【背景技術】
【０００２】
従来の介護用衣料（例えば、衣服、よだれかけ、首巻き、拘束物など）は、いずれも独立した物品であり、その欠点は以下の通りである。
１、年長者が飲食時によだれかけをかけると、無力感、羞恥心を感じてしまう。しかしながら、よだれかけをかけないと、嘔吐したり食べ物をこぼして衣服をよごしてしまったりしたときに、着替えをしなければならなくなる。
２、年長者は、首巻きで頸部を保護し温めなければならないが、携帯や収納管理が大変である。
３、認知症を患っていたり、体が不自由な場合、従来の拘束物は、過度にしばりすぎで、嫌がったりすると皮膚が傷ついたり、血液不良で体が固くなってしまったりする弊害がある。
【考案の概要】
【考案が解決しようとする課題】
【０００３】
本考案は、よだれかけ、首巻き、拘束部材をアクセサリー化し、取り外し可能にする技術を用いることで、便利で快適、見た目もよく、人的コストの負担も軽減した人にやさしい介護用衣料を提供することを目的とする。
【課題を解決するための手段】
【０００４】
本考案による人にやさしい介護用衣料は、上着本体と、一対の拘束カバーと、二つの収容袋と、二つの制限袋と、一つの下半身衣類と、一つの首巻部とからなる。前記上着本体の衣服前部は、相互の間の隙間が完全に空いている左、右の前側片及び中間に間隔のあいた取り外し洗濯可能な前かけ片部を有し、前記前かけ片部の両肩部は衣服後部の両肩部に取り外し可能であり、前記前かけ片部の左右側辺は前記左、右の前側片における二つの対応する側辺に取り外し可能であるため、汚れたらすぐ取り外して取り換えることができ、尊厳と体裁を保つことができる。前かけ片部を取り外して取り換える時、まず、両肩部を取り外して取り換えた後、さらに、左、右側辺を取り外して取り換えることで、体が露出して寒くなることを防ぐことができる。
【考案の効果】
【０００５】
前記一対の拘束カバーは、それぞれ、左右の衣服側辺から取り外し可能であり、下部には前記収容袋が縫い付けられているため、前記拘束カバーを素早く以下の操作することができる。
１、肘に取り付けた後、肘をやわらかく拘束することができる
２、体を洗う時、着替えの時、睡眠の時、心が落ち着いている時、一時的に取り外すことができ、拘束が必要なくなった場合、永久に取り外しておくことができる。
３、単独で取り外して洗濯し、取り換えることができる。
４、上に移動させることで二の腕部分を温めることができる。
５、いつでも収容、取り出しすることができる。
【０００６】
前記制限袋は、前記収容袋の外下部に設けられるとともに、長袖と前記下半身衣類に連結することができ、制限袋と拘束カバーは同時に使用することができるし（肘と掌を同時に拘束する）、もしくは、単独で使用することができる。
１、優しく掌を拘束することができる。
２、収容袋は、チャックやボタンを隔離して、皮膚が摩擦するのを避けることができる。
３、一般的なポケットとして物を入れたり、温めたりするのに使用することができる。
４、下半身衣類と連結させることで、衣類の下が膨れて掌が上に移動することがなくなる。
【０００７】
首巻部の前、後巻片の頭端の下方は後襟元の左右上端にそれぞれ連結され、使用する時は、立てて頭端と尾端を互いに頸部に巻いた後に留め合わすことができ、使用しないときは両肩部に置くことができる。そして、随時使用・収容・洗濯ができ、従来の「縦襟」で熱くなることを防ぐことができる。前記首巻部が備える下方延伸部は、頸部の冷温の調整及び口をふくのに使用することができる。
【図面の簡単な説明】
【０００８】
【図１】本考案の実施例の上着本体をズボンに連結させた状態を前方から示した概略図である。
【図２】前記実施例の前かけ片部の分解と、首巻の組み合わせ、拘束カバーの配置動作を示した概略図である。
【図３】前記実施例の首巻部の配置、拘束カバーの取り付け、一対の脚カバーの連結を示した斜視図である。
【図４】前記実施例の首巻部、拘束カバー、制限袋、ズボン併用状態を示した斜視図である。
【図５】前記実施例の拘束カバーを上に移動させ加層袖を形成させた状態を示した斜視図である。
【図６】前記実施例の前巻片の下方延伸部を使用、配置した状態を示した概略図である。
【考案を実施するための形態】
【０００９】
図１、図２に示すように、本考案による人にやさしい介護用衣料は、上着本体１を備える。上着本体１は、衣服前部１１と、衣服後部１２と、外側に向かってそれぞれ縦向開口１３０が設けられた一対の袖部１３と、二つの上密封部材２１と、二つの前密封部材２２と、二つの外密封部材２３とからなる。前記衣服前部は、相互に隙間部１０（頂部の隙間と底部の隙間の比率は約２：１である）を開けた左右の前側片１１１と、中間に前襟元１４を備えるとともに、取り外して洗濯可能で前記隙間部を遮蔽する前かけ片部１１２とからなる。前記前かけ片部における肩幅の約三分の二を占める両肩部１６１と衣服後部の両肩部１７に対応する位置の間には、それぞれ、前記上密封部材２１（例えば、オス、メス留め具２１１等）が縫い付けられ、前記前かけ片部の左右側辺と、前記左、右の前側片の二つの相互に対応する側辺の間には、前記前密封部材２２（例えば、チャック２２１）が縫い付けられる。また、前記左、右の前側片における、肩幅の約三分の一を占める両肩部１６２と衣服後部の両肩部１７に対応する位置、及び、前記縦向開口の外に伸びる箇所の間には、それぞれ、前記外密封部材２３（例えばオス、メス留め具  ２３１等）が縫い付けられる。
【００１０】
図３〜図６を参照する。本考案は、さらに、一対の拘束カバー３１、二つの拘束部連結部材２４、二つの収容袋３２、二つの制限袋３３、一つの下半身衣類（ズボン４Ａ、或は、脚カバー４Ｂ）、二つのオス、メス連結部材５４、５５、二つのオス、メス連結ユニット５７Ａ（或は５７Ｂ）、５６、を有する。前記一対の拘束カバー内側辺と左右衣服側辺１０３の間には、それぞれ、前記拘束部連結部材（例えば、チャック２４１、或は、ボタン２４２、或は、オス、メス留め具（制限袋にも併用される）等）が縫い付けられ、拘束、取り外し、洗濯するのに便利である。前記収容袋は、それぞれ、前記拘束部連結部材下部に縫い付けられ、下端に位置するボタン或はチャックヘッド２４１１を留める（拘束カバーを取り扱うときに便利）時に、収容袋によって皮膚を覆って隔離することができる。前記一対の拘束カバーの上端における外側に近い箇所には、複数の留め孔５１ａが設けられるとともに、内側に近い箇所には留め孔５１ｂが設けられ、前記留め孔５１ａには、前記袖部における対応する位置に設けられた複数のボタン５２に選択的に通され、拘束カバーが下に垂れるのを防ぐことができる。前記留め孔５１ａ、５１ｂは、前記袖部上端の内外側に近い箇所に設けられた複数のボタン５３ａ  、５３ｂに留めることで、加層袖１３Ｄを形成させることができる。
【００１１】
前記制限袋３３は、それぞれ、前記収容袋の外下部に重ねて縫い付けられ、それにより、収容袋の袋口が突出して、区別しやすくなる。前記制限袋３３の中間には、前記メス連結部材（例えば、複数の留め孔５５１）が縦に設けられ、前記袖部における袖口外側に近い箇所の対応する位置に縦に設けられた前記オス連結部材（例えば、複数のボタン５４１）に選択的に留められる。
【００１２】
また、前記メス連結ユニット５６は、それぞれ、左、右の制限袋３３の下に突出する左、右の前外側下端縁に縫い付けられ、前記メス連結ユニット５６に横に設けられた複数の留め孔５６１によって、下半身衣類（例えば、ズボン４Ａ或は脚カバー４Ｂ等）の左、右前外側に近い箇所にそれぞれ設けられた前記オス連結ユニット５７Ａ或は５７Ｂの対応する位置にある、上下に間隔をあけられたボタン５７１Ａ或は５７１Ｂに選択的に取り付けられる。前記オス連結ユニット５６を使わないときは、制限袋に対応する位置のボタン５６２に留めることもできる。
【００１３】
図６に示すように、首巻部６は、前巻片６１と、後巻片６２とからなる。各頭端部６０１下方は、弾性ベルト６３によって、前襟元１４或は後襟元１５の左右上端に縫い付けて固定され、各頭端部と尾端６０２に近い箇所には、互いに頭と尾端を頸部に巻いた後に留め合わせる少なくとも一つのオス、メス固定部材（面ファスナーオス部６４１、二つのメス部６４２など）が設けられる。前記衣服前部の両肩部１６には、前、後巻片の固定部（例えば、複数のリング１８等）が対称に設けられる。前記前巻片は、逆三角形の下方延伸部６１０を備え、使わないときは、開口６５から収容空間６６にしまうことができる。
【００１４】
前記連結部５１０、５２０、５３０、５４０、５５０、５６０、５７０Ａ、５７０Ｂは、ボタンや留め孔によって引っ張られて損傷するのを防ぐために、強靭で引っ張りに耐性のある布料を採用することができる。その内、５７０Ａ、５７０Ｂ内層及び前記チャック２４１背面には、横に寝た時に皮膚が圧迫されないようにソフトパッドを設けることができる。
【符号の説明】
【００１５】
Ａ      頸部
Ｂ      腕
１      上着本体
１０    隙間部
１０３  衣服側辺
１１    衣服前部
１１１  左、右の前側片
１１２  前かけ片部
１２    衣服後部
１３    袖部
１３Ｄ  加層袖
１３０  縦向開口
１４    前襟元
１５    後襟元
１６、１６１、１６２、１７  肩部
１８    リング
２１、２２、２３  上、前、外密封部材
２１１  オス、メス留め具
２２１  チャック
２３１  オス、メス留め具
２４    拘束部連結部材
２４１  チャック
２４１１チャックヘッド
２４２  ボタン
２４３  留め孔
３１    拘束カバー
３２    収容袋
３３    制限袋
４Ａ    ズボン
４Ｂ    脚カバー
５２、５３ａ、５３ｂ、５４、５７１Ａ、５７１Ｂ、５６２    ボタン
５１ａ、５１ｂ、５５、５６１  留め孔
５１０、５２０、５３０、５４０、５５０、５７０Ａ、５７０Ｂ、５６０  連結部
５４、５５  オス、メス連結部材
５６    メス連結ユニット
５７Ａ、５７Ｂ  オス連結ユニット
６      首巻部
６１    前巻片
６２    後巻片
６０１    頭端部
６０２    尾端
６３      弾性ベルト
６４１、６４２  面ファスナーオス部、メス部
６１０  下方延伸部
６５    開口
６６    収容空間
【図１】
0003207543.tif 000003
【図２】
0003207543.tif 000004
【図３】
0003207543.tif 000005
【図４】
0003207543.tif 000006
【図５】
0003207543.tif 000007
【図６】
0003207543.tif 000008